(57)【要約】【課題】  貯湯タンクの湯量を適切に調整することの可能な貯湯式給湯装置を提供する。【解決手段】  貯湯式給湯装置１が備える制御部７は、残湯量検出部７１、人物特定部７４、記憶部７２および沸上処理部７９等を有する。残湯量検出部７１は、貯湯タンク４に貯められた湯量を検出する。人物特定部７４は、浴室に入室する人物を特定する。記憶部７２は、個々の人物が１回の入浴時に使用することが予測される使用予測湯量を、過去の所定期間に個々の人物が入浴時に使用した湯量に基づいて算出し記憶する。沸上処理部７９は、残湯量検出部７１により検出された湯量より、人物特定部７４により特定された人物に対応する使用予測湯量が大きいとき、貯湯タンク４の湯量を増加するための処理を行う。【選択図】図３
2018048748.tif 000002
【特許請求の範囲】
【請求項１】
浴室設備に湯を供給する貯湯式給湯装置であって、
湯および水を貯める貯湯タンク（４）と、
前記貯湯タンクの湯を前記浴室設備に供給する供給回路（６）と、
前記貯湯タンクの水を加熱し、前記貯湯タンク内の湯量を増加する加熱部（３）と、
前記貯湯タンクに貯められた湯量を検出する残湯量検出部（７１）と、
浴室に入室する人物を特定する人物特定部（７４）と、
個々の人物が１回の入浴時に使用することが予測される使用予測湯量を、過去の所定期間に個々の人物が入浴時に使用した湯量に基づいて算出し記憶する記憶部（７２）と、
前記残湯量検出部により検出された湯量より、前記人物特定部により特定された人物に対応する使用予測湯量が大きいとき、前記貯湯タンクの湯量を増加するための処理を行う沸上処理部（７９）と、を備える貯湯式給湯装置。
【請求項２】
前記沸上処理部が行う湯量を増加するための処理は、前記貯湯タンクの水を前記加熱部により加熱するか否かを浴室に入室する人物に報知し選択させることを含むものである請求項１に記載の貯湯式給湯装置。
【請求項３】
前記沸上処理部が行う湯量を増加するための処理は、前記貯湯タンクの水を前記加熱部により加熱することを含むものである請求項１または２に記載の貯湯式給湯装置。
【請求項４】
前記沸上処理部が行う湯量を増加するための処理は、前記貯湯タンクの水を前記加熱部により加熱すると共に、前記貯湯タンクの水を前記加熱部により加熱することを浴室に入室する人物に報知することを含むものである請求項１ないし３のいずれか１つに記載の貯湯式給湯装置。
【請求項５】
前記沸上処理部が行う湯量を増加するための処理は、前記人物特定部により特定された人物に対応する使用予測湯量から、前記残湯量検出部により検出された湯量を差し引いた湯量が前記貯湯タンクに増加するように、前記貯湯タンクの水を前記加熱部により加熱することを含むものである請求項１ないし４のいずれか１つに記載の貯湯式給湯装置。
【請求項６】
前記浴室から人物が退出したことを検知する退出検知部（７８）をさらに備え、
前記沸上処理部は、前記退出検知部により浴室から人物が退出したことが検知された後、その人物の後に入浴が予定される入浴予定者に対応する使用予測湯量が、前記残湯量検出部により検出された湯量より大きいとき、前記貯湯タンクの湯量を増加するための処理を行う請求項１ないし５のいずれか１つに記載の貯湯式給湯装置。
【請求項７】
前記沸上処理部は、前記人物特定部により特定された人物に対応する使用予測湯量と、その人物より後に入浴が予定される入浴予定者に対応する使用予測湯量との和が、前記残湯量検出部により検出された湯量より大きいとき、貯湯タンクの湯量を増加するための処理を行う請求項１ないし５のいずれか１つに記載の貯湯式給湯装置。
【請求項８】
ユーザが操作可能な操作機器（８、９）をさらに備え、
前記人物特定部は、前記操作機器の操作に基づき、前記浴室に入室する人物を特定する請求項１ないし７のいずれか１つに記載の貯湯式給湯装置。
【請求項９】
前記人物特定部は、浴槽の湯が汲み出された湯量、給湯に使用された湯量、前記浴槽の水位の上昇量、給湯の設定温度の変更、または前記浴槽の湯の設定温度の変更に基づき、前記浴室に入室した人物を特定する請求項１ないし８のいずれか１つに記載の貯湯式給湯装置。
【請求項１０】
前記人物特定部は、前記浴室に入室した人物を特定できないとき、来客者であると判定する請求項１ないし９のいずれか１つに記載の貯湯式給湯装置。
【請求項１１】
浴槽の水位を計測する水位計測器（４４）と、
給湯に使用される流量を計測する流量計測器（２７）と、
前記水位計測器の計測値に基づいて浴槽から湯が汲み出された湯量を算出する汲み出し湯量算出部（７５）と、
前記流量計測器の計測値に基づいて給湯に使用された湯量を算出する給湯湯量算出部（７６）と、
前記浴槽から湯が汲み出された湯量と給湯に使用された湯量との和に基づき、個々の人物が入浴時に使用した湯量を算出する使用湯量算出部（７７）と、をさらに備える請求項１ないし１０のいずれか１つに記載の貯湯式給湯装置。
【請求項１２】
前記人物特定部により特定された人物に対応する使用予測湯量を表示する表示部（８３）をさらに備える請求項１ないし１１のいずれか１つに記載の貯湯式給湯装置。
【請求項１３】
前記残湯量検出部が検出した湯量に基づき、給湯使用可能時間および風呂使用可能湯量を表示する表示部をさらに備える請求項１ないし１２のいずれか１つに記載の貯湯式給湯装置。
【発明の詳細な説明】
【技術分野】
【０００１】
本発明は、貯湯式給湯装置に関するものである。
【背景技術】
【０００２】
従来、貯湯タンクに貯めた湯を浴槽の湯張りまたはシャワーなどの給湯に用いると共に、その貯湯タンクの湯熱を利用して浴槽水を追い焚きすることの可能な貯湯式給湯装置が知られている。貯湯タンクの湯は、例えばヒートポンプシステムを利用した加熱部により、電力を用いて加熱される。
【０００３】
特許文献１には、入浴者が入浴前に浴室外で行った活動情報に基づき、浴槽の湯温および湯量など浴室内の環境を自動で調整する浴室システムが記載されている。この浴室システムは、入浴者が浴室内の環境を調整する手間を省き、使い勝手を良くしている。
【先行技術文献】
【特許文献】
【０００４】
【特許文献１】特開２００６−２８８８１８号公報
【発明の概要】
【発明が解決しようとする課題】
【０００５】
しかしながら、特許文献１に記載の浴室システムは、浴槽の湯温および湯量などの浴室内の環境を調整するにすぎず、入浴者が入浴中に使用する湯量について考慮されていない。そのため、仮に、特許文献１に記載の技術を貯湯式給湯装置に適用した場合、次の問題が考えられる。
【０００６】
まず、入浴者が入浴中に使用する湯量が、貯湯タンクに貯められている湯量より大きい場合、貯湯タンク内の湯量が不足する、いわゆる湯切れが生じるおそれがある。
【０００７】
一方、貯湯タンクの湯切れを防ぐため、入浴者が入浴中に使用する湯量より多くの湯量を予め貯湯タンクに貯めておくと、貯湯タンクの湯量が必要以上のものになることが懸念される。これにより、貯湯タンクの水を加熱する加熱部が消費する電力が増大し、貯湯式給湯装置にかかる電気料金が高くなると共に、社会全体の電力消費量が増大するといった問題がある。
【０００８】
本発明は上記点に鑑みて、貯湯タンクの湯量を適切に調整することの可能な貯湯式給湯装置を提供することを目的とする。
【課題を解決するための手段】
【０００９】
上記目的を達成するため、請求項１に記載の発明は、浴室設備に湯を供給する貯湯式給湯装置であって、
湯および水を貯める貯湯タンク（４）と、
貯湯タンクの湯を浴室設備に供給する供給回路（６）と、
貯湯タンクの水を加熱し、貯湯タンク内の湯量を増加する加熱部（３）と、
貯湯タンクに貯められた湯量を検出する残湯量検出部（７１）と、
浴室に入室する人物を特定する人物特定部（７４）と、
個々の人物が１回の入浴時に使用することが予測される使用予測湯量を、過去の所定期間に個々の人物が入浴時に使用した湯量に基づいて算出し記憶する記憶部（７２）と、
残湯量検出部により検出された湯量より、人物特定部により特定された人物に対応する使用予測湯量が大きいとき、貯湯タンクの湯量を増加するための処理を行う沸上処理部（７９）と、を備える。
【００１０】
これにより、沸上処理部は、浴室に入室する人物（すなわち入浴者）の使用予測湯量が貯湯タンクの湯量より大きいとき、貯湯タンクの湯量を増加するための処理を行う。そのため、入浴者が入浴中に貯湯タンク内の湯量が不足する、いわゆる湯切れを防ぐことが可能である。また、沸上処理部は、貯湯タンクの湯量を増加するための処理を、入浴者の使用予測湯量に基づいて行うので、貯湯タンクの湯量を必要以上に増加させることがない。したがって、この貯湯式給湯装置は、貯湯タンクの湯量を適切に調整することにより、加熱部が湯の沸き上げに消費する電力を低減することが可能である。その結果、この貯湯式給湯装置は、浴室設備の使用にかかる電気料金を低減することができると共に、社会全体の電力消費量の低減に貢献することができる。
【００１１】
なお、本明細書において、「湯」とは、入浴者が入浴中に使用する温度以上のものをいう。その温度は、適宜設定することが可能である。
【００１２】
また、貯湯タンクの湯量を増加するための処理とは、加熱部により貯湯タンクの水を沸き上げる処理の他に、貯湯タンクの水を沸き上げるか否かを入浴者に報知し選択させる処理を含むものである。
【００１３】
なお、上記各手段の括弧内の符号は、後述する実施形態に記載の具体的手段との対応関係の一例を示すものである。
【図面の簡単な説明】
【００１４】
【図１】第１実施形態にかかる貯湯式給湯装置の構成を示す図である。
【図２】第１実施形態にかかる貯湯式給湯装置が備える制御部の構成を示すブロック図である。
【図３】第１実施形態にかかる貯湯式給湯装置の制御部が行う処理を示すフローチャートである。
【図４】第１実施形態にかかる貯湯式給湯装置の制御部が行う処理を示すフローチャートである。
【図５】第１実施形態にかかる貯湯式給湯装置が備える操作機器を示す図である。
【図６】第２実施形態にかかる貯湯式給湯装置の制御部が行う処理を示すフローチャートである。
【発明を実施するための形態】
【００１５】
以下、本発明の実施形態について図に基づいて説明する。なお、以下の各実施形態相互において、互いに同一もしくは均等である部分には、同一符号を付して説明を行う。また、図面において、１つの図に実質的に同一の構成が複数個記載されている場合、その一部の構成に符号を付すものとする。
【００１６】
（第１実施形態）
第１実施形態について図面を参照しつつ説明する。本実施形態の貯湯式給湯装置は、貯湯タンクに貯めた湯を、浴室に設けられた浴槽の湯張りまたはシャワーなどの給湯に用いることが可能なものである。また、この貯湯式給湯装置は、貯湯タンクに貯めた湯熱により、浴槽に貯めた浴槽水の追い焚きを行うことも可能である。
【００１７】
まず、貯湯式給湯装置１の構成について、図１を参照して説明する。なお、図１は、貯湯式給湯装置１の一例を示したものであり、貯湯式給湯装置１の構成は、これに限定されるものではない。
【００１８】
貯湯式給湯装置１は、貯湯ユニット２および加熱部３などを備えている。貯湯ユニット２は、貯湯タンク４、沸上回路５、供給回路６および制御部７などから構成されている。
【００１９】
貯湯タンク４は、湯および水を貯めることが可能な容器である。貯湯タンク４には、貯湯タンク４の底部に接続する市水流入管１０から市水が供給される。貯湯タンク４の内側は、湯と水で満たされている。貯湯タンク４は、耐食性に優れた金属容器の外側に断熱材が設けられたものであり、高温の湯を長時間にわたり保温することが可能である。
【００２０】
貯湯タンク４の内側には、複数個の温度センサ１１が設けられている。複数個の温度センサ１１は、貯湯タンク４の高さ方向に所定の間隔をあけて配置されている。温度センサ１１は、例えばサーミスタである。温度センサ１１の検出信号は、制御部７に入力される。制御部７は、各温度センサ１１の検出信号に基づき、貯湯タンク４の内側にそれぞれの温度センサ１１が取り付けられた水位ごとの湯または水の温度を検出する。これにより、制御部７は残湯量検出部７１（図２参照）として機能し、貯湯タンク４の内側に貯められている湯の量（すなわち残湯量）を検出することが可能である。なお、上述したように、本明細書において、「湯」とは、入浴者が入浴中に使用する温度以上のものをいう。その温度は、適宜設定することが可能である。以下の説明では、残湯量検出部７１が検出した残湯量を、単に、貯湯タンク４の湯量ということもある。
【００２１】
また、制御部７は、貯湯タンク４内に複数の温度センサ１１が取り付けられた各水位間にある湯の容量と、複数の温度センサ１１から得られた温度情報に基づき、貯湯タンク４内の湯熱量を算出することも可能である。
【００２２】
沸上回路５は、貯湯タンク４の底部と上部とを接続する配管１２と、その配管の途中に設けられたポンプ１３などから構成されている。沸上回路５の配管１２は、加熱部３に接続されている。
【００２３】
加熱部３は、電力により湯を加熱するヒートポンプユニットである。加熱部３としてのヒートポンプユニットは、周知のヒートポンプサイクル１４を有している。ヒートポンプサイクル１４は、電力により図示していない圧縮機などを駆動して熱をつくるものである。貯湯タンク４の底部から取り出されて沸上回路５の配管１２を流れる水は、加熱部３内の熱交換器１６を流れる際、ヒートポンプサイクル１４を流れる冷媒と熱交換することで加熱され、沸上三方弁１５を経由して貯湯タンク４の上部に戻される。これにより、貯湯タンク４内の湯量が増加する。
【００２４】
供給回路６は、給湯回路１７、および、追い焚き回路１８などを含んでいる。
【００２５】
給湯回路１７は、貯湯タンク４の湯を、シャワー、カランなどの給湯器１９または浴槽２０の湯張りなどに出湯するための回路である。
【００２６】
貯湯タンク４の上部に接続する配管２１を流れる湯は、風呂用中温水混合弁２２にて貯湯タンク４の高さ方向中間位置に接続する中温水配管２３を流れる中温水と混合され、次に、給湯湯水混合弁２４にて市水流入管１０から分岐した配管２５を流れる市水と混合された後、給湯器１９から出湯する。給湯湯水混合弁２４と給湯器１９とを接続する配管２６には、湯量計測器としての流量カウンタ２７、および温度センサ２８が設けられている。流量カウンタ２７は、給湯に使用された湯量を計測する。温度センサ２８は、その給湯に使用された湯温を計測する。
【００２７】
また、貯湯タンク４の上部に接続する配管２１を流れる湯は、風呂用中温水混合弁２２にて中温水配管２３を流れる中温水と混合され、次に、風呂混合弁２９にて市水流入管１０から分岐した配管３０を流れる市水と混合された後、湯張電磁弁３１を通り、風呂往き配管３２から浴槽２０に出湯する。これにより、浴槽２０の湯張りが行われる。湯張電磁弁３１と風呂往き配管３２とを接続する配管３３にも、流量カウンタ３４および温度センサ３５が設けられている。
【００２８】
追い焚き回路１８は、貯湯タンク４の湯と、浴槽２０の浴槽水との熱交換を行うための回路である。
【００２９】
貯湯タンク４の上部に接続する配管３６を流れる湯は、沸上三方弁１５にて、貯湯タンク４の底部に接続する低温水配管３７を流れる水と混合された後、追焚用熱交換器３８およびポンプ３９を通り、貯湯タンク４の中間部に戻される。
【００３０】
上述した沸上回路５を構成する配管１２のうちヒートポンプサイクル１４で加熱された湯が貯湯タンク４側へ流れる沸上用戻り配管１２１も、追焚用熱交換器３８に接続されている。そのため、ヒートポンプサイクル１４で加熱された湯を、貯湯タンク４を介することなく、追焚用熱交換器３８に流すことも可能である。
【００３１】
一方、追い焚き回路１８の配管４０に設けられたポンプ４１の駆動により、浴槽２０の浴槽水は、風呂戻り配管４２から追い焚き回路１８の配管４０を流れ、追焚用熱交換器３８を通り、風呂往き配管３２から浴槽２０に戻される。浴槽水は、追焚用熱交換器３８を流れる際、貯湯タンク４から流れる湯と熱交換することにより加熱される。これにより、風呂の追い焚きが行われる。その場合、貯湯タンク４に貯められている湯の温度は低下し、所定の温度以上の湯量は減少することになる。
【００３２】
風呂戻り配管４２と追焚用熱交換器３８とを接続する配管には、水位計測器４４が設けられている。水位計測器４４は、浴槽２０の水位を計測する。
【００３３】
制御部７は、マイクロコンピュータを主体に構成されている。制御部７が備える記憶部７２（図２参照）としてのＲＯＭまたはＲＡＭには、予め設定された制御プログラムや更新可能な制御プログラムが格納されている。また、記憶部７２には、浴室を使用する家族または同居者の情報を記憶させておくことが可能である。
【００３４】
図２に示すように、制御部７には、貯湯タンク４および各配管に設けられた温度センサ１１，２８、３５からの温度情報、流量カウンタ２７、３４からの流量情報、および、水位計測器４４からの浴槽２０の水位情報などが入力される。さらに、制御部７には、台所または浴室などに設置されたリモコン８から送信される操作信号、または、スマートフォン、タブレット端末などの通信機器９から送信される操作信号が入力される。リモコン８および通信機器９は、ユーザが操作可能な操作機器の一例である。
【００３５】
制御部７は、制御プログラムをＣＰＵが実行することにより、残湯量検出部７１、入室検知部７３、人物特定部７４、汲み出し湯量算出部７５、給湯湯量算出部７６、使用湯量算出部７７、退出検知部７８および沸上処理部７９などとして機能する。これらの機能については後述する。そして、制御部７は、リモコン８および通信機器９からの操作信号、または、制御プログラムに基づき、貯湯ユニット２および加熱部３の各部を制御する。
【００３６】
次に、制御部７の処理について、図３および図４のフローチャートを参照して説明する。
【００３７】
ステップＳ１０で、制御部７は入室検知部７３として機能し、浴室に入浴者が入室したか否かを検知する。入室検知部７３は、図示していない浴室ドア開閉センサ、赤外センサ、人感センサ、超音波または可視光を使用したセンサなどから制御部７に入力される情報に基づき、浴室に入浴者が入室したか否かを検知することが可能である。
【００３８】
続いて、ステップＳ２０で、制御部７は人物特定部７４として機能し、浴室に入室する人物を特定する。制御部７が有する記憶部７２には、浴室を使用する家族または同居者の情報が予め入力されているものとする。人物特定部７４は、ユーザが行うリモコン８または通信機器９などの操作に基づき、浴室に入室する人物を特定することが可能である。リモコン８の一例を図５に示す。リモコン８には、お父さんスイッチ、お母さんスイッチなど、プッシュ式の人物特定スイッチ８１が設けられている。各人物特定スイッチ８１には、そのスイッチがオンしたときに点灯するランプ８２が設けられている。また、リモコン８には、表示部としてのモニタ８３、および、音声または警告音を発するためのスピーカ８４なども設けられている。
【００３９】
入浴者は、浴室に入室するとき、自身に対応する人物特定スイッチ８１をオンする。この情報は、リモコン８から制御部７に伝送される。これにより、制御部７の人物特定部７４は、浴室に入室する人物を特定することが可能である。人物特定部７４は、浴室に入室する人物を特定したとき、リモコン８のモニタ８３に「お父さんですね？」などと表示させてもよく、スピーカ８４から「お父さんですね？」などの音声を発する制御を行ってもよい。これにより、入浴者は、人物特定スイッチ８１を押し間違えたとき、その押し間違えに気付くことができる。
【００４０】
或いは、人物特定部７４は、浴室に入室する人物を自動で特定してもよい。一般に、個々の人物の入浴時の行為には、個人差がある。入浴者の入浴時の初期行為として、浴槽２０の湯を汲み出して使用する、シャワーなどの給湯器１９を使用する、給湯の設定温度を変える、または、浴槽２０の湯の設定温度を変えるなどがある。したがって、人物特定部７４は、浴槽２０の湯が汲み出された湯量、シャワーなどの給湯に使用された湯量、給湯の設定温度の変更、または、浴槽２０の湯の設定温度の変更などに基づき、入浴者を自動で特定することが可能である。また、一般に、個々の人物の体格には、個人差がある。したがって、人物特定部７４は、入浴者が浴槽２０に浸かったときの浴槽２０の水位の上昇量に基づき、その入浴者を自動で特定することも可能である。
【００４１】
具体的に、人物特定部７４は、それらの情報を個人ごとに予め記憶部７２に記憶させておき、その記憶部７２に記憶した情報と、実際に検出された情報とを照らし合わせることで、入浴者を自動で特定することが可能である。なお、人物特定部７４は、浴室に入室した人物を自動で特定できないとき、その入浴者は来客者であると判定することとしてもよい。その場合、制御部７は、リモコン８のモニタ８３に「来客者ですね？」などと表示させてもよく、スピーカ８４から「来客者ですね？」などの音声を発する制御を行ってもよい。
【００４２】
なお、人物特定部７４は、上記の方法の他、浴室などに設置した赤外線センサ、体重計、身長計、体脂肪計など使用して入浴者を特定してもよい。或いは、入浴者が所持するスマートフォンの信号に基づいて入浴者を特定してもよい。
【００４３】
続いて、ステップＳ３０で、制御部７は、人物認識部により認識された人物に対応する使用予測湯量と、貯湯タンク４に貯められている湯量とを比較する。
【００４４】
使用予測湯量とは、個々の人物が１回の入浴時に使用することが予測される湯量である。制御部７は、過去の所定期間に個々の人物が入浴時に使用した湯量に基づいて使用予測湯量を算出する。制御部７は、過去の所定期間として例えば直近１週間のデータを平均したものを使用予測湯量としてもよい。また、制御部７は、１年間のデータがあれば各月ごとの平均使用湯量を使用予測湯量としてもよい。制御部７は、個々の人物ごとに算出した使用予測湯量を記憶部７２に記憶させる。
【００４５】
使用予測湯量を算出するため、個々の人物（すなわち入浴者）が１回の入浴時に使用する湯量のデータは、次の方法によって取得される。まず、汲み出し湯量算出部７５は、入浴者が１回の入浴時に浴槽２０から湯を汲み出した量を、水位計測器４４の計測値に基づいて算出する。また、給湯湯量算出部７６は、入浴者が１回の入浴時に給湯に使用した湯量を、流量カウンタ２７の計測値に基づいて算出する。そして、使用湯量算出部７７は、浴槽２０から湯が汲み出された湯量と、給湯に使用された湯量との和に基づき、入浴者が１回の入浴時に使用した湯量を算出する。これにより、個々の人物が１回の入浴時に使用した湯量のデータを正確に検出することが可能である。したがって、制御部７は、個々の人物に正確に対応した使用予測湯量を設定し、記憶部７２に記憶させておくことができる。
【００４６】
制御部７は、入浴者に対応する使用予測湯量を、浴室内に設置されたリモコン８のモニタ８３に表示してもよい。その場合、使用予測湯量は、所定の流量および温度で給湯設備を使用した場合の給湯使用時間に換算して表示することが好ましい。これにより、入浴者は、自身の通常時の給湯使用時間を認識することができる。
【００４７】
ステップＳ３０で、制御部７は、残湯量検出部７１により検出された貯湯タンク４の湯量から、人物特定部７４により特定された人物に対応する使用予測湯量を差し引いた値が、０以下であるか否かを判定する。貯湯タンク４の湯量から使用予測湯量を差し引いた値が０以下であることは、残湯量検出部７１により検出された湯量より、人物特定部７４により特定された人物に対応する使用予測湯量が大きいか、または両者が同じであることを意味している。その場合、入浴者が入浴中に使用する温度以上の湯が貯湯タンク４に殆どなくなると、入浴者が入浴中に給湯または追い焚きすることが困難になる状態、いわゆる「湯切れ」が生じるおそれがある。したがって、制御部７は、貯湯タンク４の湯量から使用予測湯量を差し引いた値が０以下のとき（即ち、ステップＳ３０：ＹＥＳ）、処理をステップＳ４０に移行する。
【００４８】
ステップＳ４０で、制御部７は沸上処理部７９として機能し、貯湯タンク４の湯量を増加するための処理を行う。沸上処理部７９は、浴室内に設置されたリモコン８のスピーカ８４またはモニタ８３などにより、その入浴者が入浴している最中に湯切れが生じる可能性があることを報知する。それと共に、沸上処理部７９は、貯湯タンク４の水を加熱部３により加熱するか否か、すなわち貯湯タンク４の水の「沸き上げ」を行うか否かを入浴者に選択させる。これに対し、入浴者は、リモコン８に設置された沸き上げスイッチ８５、または、マイクによる音声入力などにより、沸き上げを行うか否かを選択することが可能である。
【００４９】
なお、沸上処理部７９は、貯湯タンク４の水の「沸き上げ」を行うか否かを入浴者に選択させる際、貯湯タンク４内の湯量を、浴室内に設置されたリモコン８のモニタ８３に表示してもよい。その場合、貯湯タンク４内の湯量は、所定の流量および温度で給湯設備を使用した場合の給湯使用可能時間および風呂使用可能湯量に換算して表示することが好ましい。これにより、入浴者は、現状の貯湯タンク４内の湯量における給湯使用可能時間および風呂使用可能湯量を認識することができる。したがって、入浴者は、貯湯タンク４の湯の沸き上げを行うか否かを、その日の自身の湯の使用量に合わせて、的確に判断することが可能である。
【００５０】
続いて、ステップＳ５０で、沸上処理部７９は、入浴者が沸き上げを行うことを選択したか否かを検出する。沸上処理部７９は、入浴者が沸き上げを行うことを選択したことが検出されると（即ち、ステップＳ５０：ＹＥＳ）、処理をステップＳ６０に移行する。
【００５１】
ステップＳ６０で、沸上処理部７９は、貯湯タンク４の水を、入浴者が入浴の終了時までに必要とする湯量だけ増加する沸き上げ処理を行う。すなわち、沸上処理部７９は、入浴者に対応する使用予測湯量から、貯湯タンク４内の残湯量を差し引いた湯量が貯湯タンク４に増加するように、貯湯タンク４の水を沸き上げる。これにより、沸上処理部７９は、貯湯タンク４の水を、入浴者が入浴の終了時までに必要とする湯量だけ沸き上げるので、無駄な熱量の沸き上げを防ぐことができる。
【００５２】
一方、ステップＳ５０で、沸上処理部７９は、入浴者が沸き上げを行わないことを選択したことが検出されたとき（即ち、ステップＳ５０：ＮＯ）、処理をステップＳ７０に移行する。この場合であっても、入浴者は、貯湯タンク４内の湯量に基づく給湯使用可能時間および風呂使用可能湯量を、浴室内に設置されたリモコン８のモニタ８３によって確認できるので、湯切れの不安が払拭される。
【００５３】
なお、上述したステップＳ３０で、制御部７は、貯湯タンク４の湯量から、入浴者に対応する使用予測湯量を差し引いた値が、０より大きいときも（即ち、ステップＳ３０：ＮＯ）、処理をステップＳ７０に移行する。
【００５４】
ステップＳ７０で、制御部７は退出検知部７８として機能し、浴室から人物が退出することを検知する。退出検知部７８は、上述した入室検知部７３と同様に、図示していない浴室ドア開閉センサ、赤外センサ、人感センサ、超音波または可視光を使用したセンサなどから制御部７に入力される情報に基づき、浴室から入浴者が退室することを検知することが可能である。
【００５５】
続いて、図４に示したステップＳ８０で、制御部７は、ステップＳ２０で特定した入浴者の他に、家族または同居者として記憶部７２に登録されている者の中で未だ入浴をしていない入浴予定者がいるか否かを判定する。制御部７は、入浴予定者がいる場合（即ち、ステップＳ８０：ＹＥＳ）、処理をステップＳ９０に移行する。
【００５６】
ステップＳ９０で、制御部７は、入浴予定者全員に対応する使用予測湯量を読み出し、それらの使用予測湯量を合算する。そして、制御部７は、貯湯タンク４の湯量から、入浴予定者全員に対応する使用予測湯量を合算した湯量を差し引いた値が、０以下であるか否かを判定する。貯湯タンク４の湯量から入浴予定者全員に対応する使用予測湯量を合算した湯量を差し引いた値が０以下であることは、残湯量検出部７１により検出された湯量よりも、入浴予定者全員に対応する使用予測湯量を合算した湯量が大きいか、または両者が同じであることを意味している。その場合、入浴予定者が入浴中に使用する温度以上の湯が貯湯タンク４に殆どなくなると、入浴予定者が入浴中に「湯切れ」が生じるおそれがある。したがって、制御部７は、貯湯タンク４の湯量から、入浴予定者全員に対応する使用予測湯量を合算した湯量を差し引いた値が０以下のとき（即ち、ステップＳ９０：ＹＥＳ）、処理をステップＳ１００に移行する。
【００５７】
ステップＳ１００で、制御部７は沸上処理部７９として機能し、貯湯タンク４の湯量を増加するための処理を行う。沸上処理部７９は、台所または浴室内に設置されたリモコン８のスピーカ８４またはモニタ８３などにより、入浴予定者が入浴している最中に湯切れが生じる可能性があることを報知する。それと共に、沸上処理部７９は、貯湯タンク４の湯の「沸き上げ」を行うか否かをユーザに選択させる。これに対し、ユーザは、リモコン８に設置された沸き上げスイッチ８５、または、マイクによる音声入力などにより、沸き上げを行うか否かを選択することが可能である。
【００５８】
なお、沸上処理部７９は、貯湯タンク４の湯の「沸き上げ」を行うか否かをユーザに選択させる際、貯湯タンク４内の湯量を、台所または浴室内に設置されたリモコン８のモニタ８３に表示してもよい。その場合、貯湯タンク４内の湯量は、所定の流量および温度で給湯設備を使用した場合の給湯使用可能時間および風呂使用可能湯量に換算して表示することが好ましい。これにより、ユーザは、現状の貯湯タンク４内の湯量における給湯使用可能時間および風呂使用可能湯量を認識することができる。したがって、ユーザは、貯湯タンク４の湯の沸き上げを行うか否かを、例えば来客者の有無などを考慮したその日の湯の使用予定量に合わせて、的確に判断することが可能である。
【００５９】
続いて、ステップＳ１１０で、沸上処理部７９は、ユーザが沸き上げを行うことを選択したか否かを検出する。沸上処理部７９は、ユーザが沸き上げを行うことを選択したことが検出されると（即ち、ステップＳ１１０：ＹＥＳ）、処理をステップＳ１２０に移行する。
【００６０】
ステップＳ１２０で、沸上処理部７９は、貯湯タンク４の水を、入浴予定者全員が必要とする湯量だけ増加する沸き上げ処理を行う。すなわち、沸上処理部７９は、入浴予定者全員に対応する使用予測湯量から、貯湯タンク４内の残湯量を差し引いた湯量が貯湯タンク４に増加するように、貯湯タンク４の水を沸き上げる。これにより、沸上処理部７９は、貯湯タンク４の水を、入浴予定者全員が必要とする湯量だけ沸き上げるので、無駄な熱量の沸き上げを防ぐことができる。
【００６１】
一方、ステップＳ８０で制御部７は、入浴予定者がいない場合（即ち、ステップＳ８０：NO）、処理をステップＳ１３０に移行する。また、ステップＳ９０で制御部７は、貯湯タンク４の湯量から、入浴予定者全員に対応する使用予測湯量を合算した湯量を差し引いた値が０より大きいときも（即ち、ステップＳ９０：ＮＯ）、処理をステップＳ１３０に移行する。さらに、ステップＳ１１０で沸上処理部７９は、ユーザが沸き上げを行わないことを選択したことが検出されたときも（即ち、ステップＳ１１０：ＮＯ）、処理をステップＳ１３０に移行する。
【００６２】
ステップＳ１３０で制御部７は、貯湯タンク４内の湯量に基づき、所定の流量および温度で給湯設備を使用した場合の給湯使用可能時間の目安と、風呂使用可能湯量の目安を、台所または浴室内などに設置されたリモコン８のモニタ８３に表示する。
【００６３】
以上説明した第１実施形態の貯湯式給湯装置１は、次の作用効果を奏する。
【００６４】
（１）第１実施形態では、沸上処理部７９は、残湯量検出部７１により検出された貯湯タンク４の湯量より、人物特定部７４により特定された入浴者に対応する使用予測湯量が大きいとき、貯湯タンク４の湯量を増加するための処理を行う。この処理は、加熱部３により貯湯タンク４の水を沸き上げる処理の他に、貯湯タンク４の水を沸き上げるか否かを入浴者に報知し選択させる処理を含むものである。
【００６５】
これにより、この貯湯式給湯装置１は、入浴者が入浴中に貯湯タンク４内の湯量が不足する、いわゆる湯切れを防ぐことが可能である。また、沸上処理部７９は、貯湯タンク４の湯量を増加するための処理を、入浴者の使用予測湯量に基づいて行うので、貯湯タンク４の湯量を必要以上に増加させることがない。したがって、この貯湯式給湯装置１は、貯湯タンク４の湯量を適切に調整することにより、加熱部３が消費する電力を低減することが可能である。その結果、この貯湯式給湯装置１は、浴室設備の使用にかかる電気料金を低減することができると共に、社会全体の電力消費量の低減に貢献することができる。
【００６６】
（２）第１実施形態では、沸上処理部７９が行う湯量を増加するための処理は、貯湯タンク４の水を沸き上げるか否かを入浴者に報知し選択させることを含むものである。
【００６７】
これによれば、入浴者の使用予測湯量が貯湯タンク４の湯量より大きい場合であっても、入浴者は、入浴中に湯の使用をあまり必要としていないときには、貯湯タンク４の水を沸き上げないことを選択することが可能である。したがって、この貯湯式給湯装置１は、貯湯タンク４の湯量を必要以上に増加させることなく、加熱部３が消費する電力を低減することが可能である。
【００６８】
（３）第１実施形態では、沸上処理部７９が行う湯量を増加するための処理は、貯湯タンク４の水を沸き上げることを含むものである。
【００６９】
これによれば、入浴者が入浴中に湯切れが生じることを防ぐことができる。
【００７０】
（４）第１実施形態では、沸上処理部７９が行う湯量を増加するための処理は、入浴者に対応する使用予測湯量から、貯湯タンク４の残湯量を差し引いた湯量が貯湯タンク４に増加するように、貯湯タンク４の水を沸き上げることである。
【００７１】
これによれば、沸上処理部７９は、貯湯タンク４の湯量を必要以上に増加させることがない。したがって、この貯湯式給湯装置１は、貯湯タンク４の湯量を適切に調整することにより、加熱部３が消費する電力を低減することが可能である。
【００７２】
（５）第１実施形態では、浴室から入浴者が退出したことが退出検知部７８によって検知された後、沸上処理部７９は、その後の入浴予定者に対応する使用予測湯量が、貯湯タンク４の残湯量より大きいとき、貯湯タンク４の湯量を増加するための処理を行う。
【００７３】
これによれば、貯湯式給湯装置１は、入浴予定者が入浴した際に湯切れが生じることを防ぐことが可能である。また、沸上処理部７９は、貯湯タンク４の湯量を増加するための処理を、入浴予定者に対応する使用予測湯量に基づいて行うので、貯湯タンク４の湯量を必要以上に増加させることがない。したがって、この貯湯式給湯装置１は、貯湯タンク４の湯量を適切に調整することにより、加熱部３が消費する電力を低減することが可能である。
【００７４】
（６）第１実施形態では、人物特定部７４は、ユーザによるリモコン８および通信機器９などの操作に基づき、浴室に入室する人物を特定する。
【００７５】
これによれば、人物特定部７４は、入浴者を正確に特定することが可能である。すなわち、入浴者特定の精度を高めることができる。
【００７６】
（７）第１実施形態では、人物特定部７４は、浴槽２０の湯が汲み出された湯量、給湯に使用された湯量、浴槽２０の水位の上昇量、給湯の設定温度、または、浴槽２０の湯の設定温度に基づき、浴室に入室した人物を特定する。
【００７７】
これによれば、人物特定部７４は、個々の人物の入浴時の行動、または、個々の人物の体格の大きさに基づき、入浴者を自動で特定することが可能である。
【００７８】
（８）第１実施形態では、人物特定部７４は、浴室に入室した人物を特定できないとき、来客者であると判定する。
【００７９】
これによれば、来客者がいることが判定されるので、沸き上げ処理部は、その来客者に対応した沸き上げ処理を行うことが可能である。
【００８０】
（９）第１実施形態では、使用湯量算出部７７は、浴槽２０から湯が汲み出された湯量と、給湯に使用された湯量との和に基づき、個々の人物が入浴時に使用した湯量を算出する。
【００８１】
これによれば、使用湯量算出部７７は、個々の人物に対応する使用予測湯量をより正確に設定することができる。
【００８２】
（１０）第１実施形態では、人物特定部７４により特定された入浴者に対応する使用予測湯量を、浴室などに設置されたリモコン８のモニタ８３に表示する。
【００８３】
これによれば、入浴者は、自身が通常時に使用する湯量を確認することができる。
【００８４】
（１１）第１実施形態では、貯湯タンク４内の湯量に基づき、所定の流量および温度で給湯設備を使用した場合の給湯使用可能時間および風呂使用可能湯量を、浴室などに設置されたリモコン８のモニタ８３に表示する。
【００８５】
これによれば、入浴者は、入浴中に使用可能な湯量を認識することが可能となる。そのため、入浴者は、貯湯タンク４の水の沸き上げをしないことを選択したときにも、入浴中に湯切れが生じることを防ぐことができる。
【００８６】
（第２実施形態）
第２実施形態について説明する。第２実施形態は、第１実施形態に対して制御部７による処理の一部を変更したものであり、その他については第１実施形態と同様であるため、第１実施形態と異なる部分についてのみ説明する。
【００８７】
第２実施形態の制御部７の処理について、図６のフローチャートを参照して説明する
ステップＳ１０からステップＳ２０までの処理は、第１実施形態で説明したものと同様である。ステップＳ２０で、制御部７は人物特定部７４として機能し、浴室に入室する人物を特定した後、処理をステップＳ８０に移行する。
【００８８】
ステップＳ８０で、制御部７は、ステップＳ２０で特定した入浴者の他に入浴予定者がいるか否かを判定する。制御部７は、入浴予定者がいる場合（即ち、ステップＳ８０：ＹＥＳ）、処理をステップＳ９５に移行する。
【００８９】
ステップＳ９５で、制御部７は、ステップＳ２０で特定した入浴者に対応する使用予測湯量と、入浴予定者全員に対応する使用予測湯量を読み出し、それらの使用予測湯量を合算する。そして、制御部７は、貯湯タンク４の湯量から、入浴者および入浴予定者全員に対応する使用予測湯量を合算した湯量を差し引いた値が、０以下であるか否かを判定する。その値が０以下の場合、入浴者または入浴予定者が入浴中に「湯切れ」が生じるおそれがある。したがって、制御部７は、貯湯タンク４の湯量から、入浴者および入浴予定者全員に対応する使用予測湯量を合算した湯量を差し引いた値が０以下のとき（即ち、ステップＳ９５：ＹＥＳ）、処理をステップＳ１００に移行する。
【００９０】
ステップＳ１００からステップＳ１１０までは、第１実施形態で説明した処理と同じである。簡単に説明すると、ステップＳ１００では、ユーザに対し、入浴者および入浴予定者全員が入浴している最中に湯切れが生じる可能性があることを報知すると共に、貯湯タンク４の湯の「沸き上げ」を行うか否かをユーザに選択させる。ステップＳ１１０で、ユーザが沸き上げを行うことを選択したことが検出されると（即ち、ステップＳ１１０：ＹＥＳ）、処理をステップＳ１２５に移行する。
【００９１】
ステップＳ１２５で、沸上処理部７９は、貯湯タンク４の水を、入浴者および入浴予定者全員が必要とする湯量だけ増加する沸き上げ処理を行う。すなわち、沸上処理部７９は、入浴者および入浴予定者全員に対応する使用予測湯量から、貯湯タンク４内の残湯量を差し引いた湯量が貯湯タンク４に増加するように、貯湯タンク４の水を沸き上げる。これにより、沸上処理部７９は、貯湯タンク４の水を、入浴者および入浴予定者全員が必要とする湯量だけ沸き上げるので、無駄な熱量の沸き上げを防ぐことができる。
【００９２】
次のステップＳ１３０の処理も、第１実施形態で説明した処理と同じであり、給湯使用可能時間の目安と、風呂使用可能湯量の目安を、台所または浴室内などに設置されたリモコン８のモニタ８３に表示する。
【００９３】
以上説明した第２実施形態では、沸上処理部７９は、人物特定部７４により特定された入浴者に対応する使用予測湯量と、その後の入浴予定者に対応する使用予測湯量との和が、貯湯タンク４の湯量より大きいとき、貯湯タンク４の湯量を増加するための処理を行う。
【００９４】
これによれば、貯湯式給湯装置１は、入浴者とその後の入浴予定者が入浴した際に湯切れが生じることを防ぐことが可能である。また、沸上処理部７９は、貯湯タンク４の湯量を増加するための処理を、入浴者とその後の入浴予定者に対応する使用予測湯量に基づいて行うので、貯湯タンク４の湯量を必要以上に増加させることがない。したがって、この貯湯式給湯装置１は、貯湯タンク４の湯量を適切に調整することにより、加熱部３が消費する電力を低減することが可能である。その結果、この貯湯式給湯装置１は、浴室設備の使用にかかる電気料金を低減することができると共に、社会全体の電力消費量の低減に貢献することができる。
【００９５】
（他の実施形態）
本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００９６】
（１）上記各実施形態では、加熱部３をヒートポンプユニットによって構成した。これに対し、他の実施形態では、加熱部３は例えば電気式ヒータなど、電力により水を加熱する種々の装置によって構成してもよい。
【００９７】
（２）他の実施形態では、ステップＳ４０〜Ｓ６０で沸上処理部７９は、貯湯タンク４の湯量から入浴者に対応する使用予測湯量を差し引いた値が０以下である場合、ユーザの指示を待つことなく、貯湯タンク４の水を自動で沸き上げる制御を行ってもよい。その場合、沸上処理部７９は、台所または浴室内に設置されたリモコン８のスピーカ８４またはモニタ８３などにより、貯湯タンク４の水を沸き上げることをユーザに報知することが好ましい。これによれば、入浴者が入浴中に湯切れが生じることを防ぎ、その一方で、その入浴者が入浴中に湯又は湯熱の使用をあまり必要としていないときには、入浴者が沸き上げを停止することも可能である。
【００９８】
（３）他の実施形態では、ステップＳ２０で制御部７の人物特定部７４が浴室に入室する人物を特定したとき、記憶部７２に予め入力された家族または同居者の登録情報に基づいて最終入浴者であるか否かを判定してもよい。その場合、その入浴者が最終入浴者である場合には、リモコン８のスピーカ８４またはモニタ８３などにより、最終入浴者であることを入浴者に報知すると共に、貯湯タンク４内に十分な湯量があるときは、本日の沸き上げはしないことを報知してもよい。
【００９９】
（４）他の実施形態では、ステップＳ２０で制御部７の人物特定部７４が浴室に入室する人物を特定したとき、その入浴者が一番初めの入浴者である場合、いつも通りの湯量で良いか否かの確認を、リモコン８のスピーカ８４またはモニタ８３などに報知しても良い。これにより、急な来客者があるときなど、普段の湯量よりも多くの湯量が必要な場合に備えることが可能である。
【０１００】
（５）他の実施形態では、急な来客者の入浴により残湯量が変化した場合、その来客浴室者を検知することにより、来客浴室者が使用した分の湯量を沸き上げる制御を行ってもよい。
【０１０１】
（６）他の実施形態では、リモコン８に設けられた人物特定スイッチ８１を入浴者がオンすることで人物の特定が行われる場合、スイッチの押し間違いに備えて、入浴していないユーザに対応した人物特定スイッチ８１のランプ８２を点灯するようにしてもよい。
【０１０２】
（７）他の実施形態では、入浴者が、自身とは異なる他の人物に対応する人物特定スイッチ８１を誤ってオンした場合、リモコン８のスピーカ８４またはモニタ８３などにより、その押し間違いを報知してもよい。
【０１０３】
（８）他の実施形態では、人物特定スイッチ８１のランプ８２またはモニタ８３などに、既に入浴したユーザが分かるよう表示をしてもよい。
【０１０４】
（９）他の実施形態では、入浴者の人物特定がされたとき、その入浴者に対応する使用予測湯量をリモコン８のモニタ８３に表示し、さらに、その入浴者の入浴中に、いつも通りの湯量が使用されていることをリモコン８から報知してもよい。
【０１０５】
（まとめ）
上記各実施形態の一部または全部で示された第１の観点によれば、貯湯式給湯装置は、浴室設備に湯を供給するものであり、貯湯タンク、供給回路、加熱部、残湯量検出部、人物特定部、記憶部および沸上処理部を備える。貯湯タンクは、湯および水を貯める。供給回路は、貯湯タンクの湯を浴室設備に供給する。加熱部は、貯湯タンクの水を加熱し、貯湯タンク内の湯量を増加する。残湯量検出部は、貯湯タンクに貯められた湯量を検出する。人物特定部は、浴室に入室する人物を特定する。記憶部は、個々の人物が１回の入浴時に使用することが予測される使用予測湯量を、過去の所定期間に個々の人物が入浴時に使用した湯量に基づいて算出し記憶する。沸上処理部は、残湯量検出部により検出された湯量より、人物特定部により特定された人物に対応する使用予測湯量が大きいとき、貯湯タンクの湯量を増加するための処理を行う。
【０１０６】
第２の観点によれば、沸上処理部が行う湯量を増加するための処理は、貯湯タンクの水を加熱部により加熱するか否かを浴室に入室する人物に報知し選択させることを含むものである。
【０１０７】
これによれば、入浴者の使用予測湯量が貯湯タンクの湯量より大きい場合であっても、入浴者は、入浴中に湯の使用をあまり必要としていないときには、貯湯タンクの水を加熱部により加熱しないことを選択することが可能である。したがって、この貯湯式給湯装置は、貯湯タンクの湯量を必要以上に増加させることなく、加熱部が消費する電力を低減することが可能である。
【０１０８】
第３の観点によれば、沸上処理部が行う湯量を増加するための処理は、貯湯タンクの水を加熱部により加熱することを含むものである。
【０１０９】
これによれば、入浴者が入浴中に湯切れが生じることを防ぐことができる。
【０１１０】
第４の観点によれば、沸上処理部が行う湯量を増加するための処理は、貯湯タンクの水を加熱部により加熱すると共に、貯湯タンクの水を加熱部により加熱することを浴室に入室する人物に報知することを含むものである。
【０１１１】
これによれば、入浴者が入浴中に湯切れが生じることを防ぎ、その一方で、その入浴者が入浴中に湯又は湯熱の使用をあまり必要としていないときには、入浴者に加熱部の動作を停止させることも可能である。
【０１１２】
第５の観点によれば、沸上処理部が行う湯量を増加するための処理は、人物特定部により特定された人物に対応する使用予測湯量から、残湯量検出部により検出された湯量を差し引いた湯量が貯湯タンクに増加するように、貯湯タンクの水を加熱部により加熱することを含むものである。
【０１１３】
これによれば、沸上処理部は、貯湯タンクの湯量を必要以上に増加させることがない。したがって、この貯湯式給湯装置は、貯湯タンクの湯量を適切に調整することにより、加熱部が消費する電力を低減することが可能である。
【０１１４】
第６の観点によれば、貯湯式給湯装置は、浴室から人物が退出したことを検知する退出検知部をさらに備える。沸上処理部は、退出検知部により浴室から人物が退出したことが検知された後、その人物の後に入浴が予定される入浴予定者に対応する使用予測湯量が、残湯量検出部により検出された湯量より大きいとき、貯湯タンクの湯量を増加するための処理を行う。
【０１１５】
これによれば、貯湯式給湯装置は、入浴予定者が入浴した際に湯切れが生じることを防ぐことが可能である。また、沸上処理部は、貯湯タンクの湯量を増加するための処理を、入浴予定者に対応する使用予測湯量に基づいて行うので、貯湯タンクの湯量を必要以上に増加させることがない。したがって、この貯湯式給湯装置は、貯湯タンクの湯量を適切に調整することにより、加熱部が消費する電力を低減することが可能である。
【０１１６】
第７の観点によれば、沸上処理部は、人物特定部により特定された人物に対応する使用予測湯量と、その人物より後に入浴が予定される入浴予定者に対応する使用予測湯量との和が、残湯量検出部により検出された湯量より大きいとき、貯湯タンクの湯量を増加するための処理を行う。
【０１１７】
これによれば、貯湯式給湯装置は、入浴者とその後の入浴予定者が入浴した際に湯切れが生じることを防ぐことが可能である。また、沸上処理部は、貯湯タンクの湯量を増加するための処理を、入浴者とその後の入浴予定者に対応する使用予測湯量に基づいて行うので、貯湯タンクの湯量を必要以上に増加させることがない。したがって、この貯湯式給湯装置は、貯湯タンクの湯量を適切に調整することにより、加熱部が消費する電力を低減することが可能である。
【０１１８】
第８の観点によれば、貯湯式給湯装置は、ユーザが操作可能な操作機器をさらに備える。人物特定部は、操作機器の操作に基づき、浴室に入室する人物を特定する。
【０１１９】
これによれば、人物特定部は、入浴者を正確に特定することが可能である。
【０１２０】
第９の観点によれば、人物特定部は、浴槽の湯が汲み出された湯量、給湯に使用された湯量、浴槽の水位の上昇量、給湯の設定温度、または、浴槽の湯の設定温度に基づき、浴室に入室した人物を特定する。
【０１２１】
これによれば、人物特定部は、個々の人物の入浴時の行動、または、個々の人物の体格の大きさに基づき、入浴者を自動で特定することが可能である。
【０１２２】
第１０の観点によれば、人物特定部は、浴室に入室した人物を特定できないとき、来客者であると判定する。
【０１２３】
これによれば、来客者がいることが判定されるので、沸き上げ処理部は、その来客者に対応した沸き上げ処理を行うことが可能である。
【０１２４】
第１１の観点によれば、貯湯式給湯装置は、水位計測器、流量計測器、汲み出し湯量算出部、給湯湯量算出部および使用湯量算出部をさらに備える。水位計測器は、浴槽の水位を計測する。流量計測器は、給湯に使用される流量を計測する。汲み出し湯量算出部は、水位計測器の計測値に基づいて浴槽から湯が汲み出された湯量を算出する。給湯湯量算出部は、流量計測器の計測値に基づいて給湯に使用された湯量を算出する。使用湯量算出部は、浴槽から湯が汲み出された湯量と給湯に使用された湯量との和に基づき、個々の人物が入浴時に使用した湯量を算出する。
【０１２５】
これによれば、使用湯量算出部は、個々の人物に対応する使用予測湯量をより正確に設定することができる。
【０１２６】
第１２の観点によれば、人物特定部により特定された人物に対応する使用予測湯量を表示する表示部をさらに備える。
【０１２７】
これによれば、入浴者は、自身が通常時に使用する湯量を確認することができる。
【０１２８】
第１３の観点によれば、残湯量検出部が検出した湯量に基づき、給湯使用可能時間および風呂使用可能湯量を表示する表示部をさらに備える。
【０１２９】
これによれば、入浴者は、入浴中に使用可能な湯量を認識することが可能となる。また、入浴者が、貯湯タンクの水の沸き上げをしないことを選択した場合であっても、入浴中に湯切れが生じる不安を払拭することができる。
【符号の説明】
【０１３０】
１    貯湯式給湯装置
３    加熱部
４    貯湯タンク
６    供給回路
７１  残湯量検出部
７４  人物特定部
７２  記憶部
７９  沸上処理部
【図１】
2018048748.tif 000003
【図２】
2018048748.tif 000004
【図３】
2018048748.tif 000005
【図４】
2018048748.tif 000006
【図５】
2018048748.tif 000007
【図６】
2018048748.tif 000008